(57)【要約】【課題】顔面等へ予め取付けられて被着部材を止着するアンカー部材を、顔面等の３次元的曲面に追従性よく変形させて密着取付け可能にする。【解決手段】雄側面ファスナーからなるアンカー部材２０を、顔面１０に対して上下方向へ長く配置するよう縦長形状にするとともに、横幅の広い複数の本体部２５と、隣り合う本体部２５間を連結する連結部２６とを備え、連結部２６の横幅を本体部２５よりも狭くして曲がり易くする。縦長のアンカー部材２０を凹凸のある顔面上へ上下方向へ長く配置すると、連結部２６により３次元的に曲がり易くなるので、顔面１０の凹凸に追従して変形し、顔面の３次元的曲面に馴染んで密着する。【選択図】図３
2018188751.tif 000002
【特許請求の範囲】
【請求項１】
面ファスナーからなり曲面へ取付けられて他の被着部材を係合支持するアンカー部材において、
このアンカー部材（２０）は、略帯状の長手部材であり、
前記被着部材（３０）を係止する係合部（２３）が設けられた複数の本体部（２５）と、
隣り合う前記本体部（２５）間を連結する連結部（２６）とを備え、
これらの本体部（２５）と連結部（２６）とが交互に直列状に配列されるとともに、
前記連結部（２６）の横幅が前記本体部（２５）の横幅よりも狭く、前記本体部（２５）よりも曲がり易くなっているとともに３次元的に曲がり可能になっていることを特徴とするアンカー部材。
【請求項２】
上記請求項１において、前記アンカー部材は、予め顔面（１０）へ取付けられ、前記被着部材は前記アンカー部材により顔面へ止着される顔面装着部材（３０）であり、
前記アンカー部材（２０）は、雄側面ファスナーからなり、
顔面上の所定方向へ長く配置される細長形状をなすことを特徴とするアンカー部材。
【請求項３】
上記請求項２において、前記顔面装着部材（３０）は、鼻（１３）及び口（１５）を覆う本体部（３１）を備えるマスクカバー又はマスクであり、
前記アンカー部材（２０）は、前記顔面装着部材（３０）の本体部（３１）もしくはこの本体部よりも左右へ延出する延出部（３２）の左右方向端部（３３）に沿って、顔面上へ上下方向に長く配置される縦長形状をなすことを特徴とする請求項１に記載したアンカー部材。
【請求項４】
上記請求項１において、前記アンカー部材（２０）は、前記各本体部（２５）と前記各連結部（２６）が一体に形成されていることを特徴とするアンカー部材。
【請求項５】
上記請求項４において、前記連結部（６６）は、前記アンカー部材の側部から切り込まれたスリット（６１）により形成されることを特徴とするアンカー部材。
【請求項６】
上記請求項４において、前記連結部（７６）は、糸又は紐からなることを特徴とするアンカー部材。
【請求項７】
上記請求項４において、前記アンカー部材（８０）は、同一の単位部材（８１）を複数連結して略鎖状にしたものであることを特徴とするアンカー部材。
【発明の詳細な説明】
【技術分野】
【０００１】
この発明は、例えば、顔面上に取付けられて耳掛け紐の無いマスクを止着するときなどに用いられるアンカー部材に関する。
【背景技術】
【０００２】
顔面へ予めアンカー部材を取付け、このアンカー部材を介して耳掛け紐のないマスクを着脱自在に顔面へ装着することは公知である（特許文献１）。また、マスクを面ファスナーにより顔面へ装着させることも公知である（特許文献２）。さらに、アンカー部材を雄側面ファスナーで構成し、これにマスクカバー等の顔面装着部材を止着するものもある（特許文献３）。また、略６角形状をなすアンカー部材の周囲にスリットを放射状に入れたものもある（特許文献４）。
【先行技術文献】
【特許文献】
【０００３】
【特許文献１】特開２００６−２３９３８２号公報
【特許文献２】特開２００７−２０９８３号公報
【特許文献３】特開２０１７−８４７１号公報
【特許文献４】実用新案登録第３２０８３４２号公報
【発明の概要】
【発明が解決しようとする課題】
【０００４】
特許文献１に示すように、マスク等の顔面装着部材を略長方形とし、顔面装着部材の左右方向端部（短辺部）の上下に紐の両端部を取付けて、この紐の中間部を顔面上のアンカー部材へ係止させると、アンカー部材を介して顔面装着部材を顔面に支持できる。しかしこのとき顔面装着部材の左右方向端部にしわが出て、顔面との間に隙間が生じる。このような隙間があると、顔面装着部材が特にマスクの場合には、この隙間から花粉等が侵入し、マスクのフィルター効果を減じさせる。したがって、顔面装着部材をアンカー部材に支持させたとき、左右方向端部等の周囲部分と顔面との間に隙間を生じさせないようにすることが望まれる。
【０００５】
一方、特許文献２及び３に示すように、顔面装着部材の左右方向端部に、耳近くまで延びる略３角形状の延長部を設け、この延長部の先端（頂点相当部）をアンカー部材へ直接係止すると、しわは生じにくくなる。しかし、顔面には頬骨による突起部があり、この頬骨の突起部を挟んで内側（鼻や口角に近い側）と外側（目や耳に近い側）との間に大きな凹凸があり、顔面は全体として３次元的曲面になっている。また、頬骨の突起部よりも内側部分の顔面にも比較的大きな凹凸が形成されている。したがって、延長部が頬骨の突起や顔面の他の凹凸に重なると、延長部と顔面との間に間隙が生じてしまう。
そこで、アンカー部材を点状に設けるのではなく、延長部の周囲全体を面状に係止できるようにすれば、延長部の周囲における顔面との間隙を生じさせないようにすることができる。
【０００６】
しかしこの場合には、雄型面ファスナーからなるアンカー部材が比較的硬く曲がりにくいので、アンカー部材が３次元的曲面をなす顔面の凹凸に馴染んで密着することが難しく、アンカー部材と顔面の間にも間隙が形成されてしまう。このため、アンカー部材を顔面の凹凸に馴染むよう、３次元的に追従変化させて密着取付できるようにすることが望まれる。
なお、特許文献４に示されたアンカー部材はスリットを設けて顔面に馴染みやすくしたものであるが、このアンカー部材は略６角形状をなし、いわばマスクカバー等の端部を点状に支持するものであり、周囲のスリット部分が変形できても中央の本体部分である雄側面ファスナー部分は変形できない。仮に本体部分を上下方向等に長くして縦長等にしても、この長い本体部分が顔面の凹凸に追従して変形できないため、周囲のスリット形成部分が変形できたとしても、全体としては顔面の３次元的曲面に馴染めず、顔面との間に間隙ができてしまう。したがって、このアンカー部材は点状に設けることを前庭とするものであり、アンカー部材を広範囲に間隙無く密着させることは全く意図していない。
【０００７】
さらに、このようなアンカー部材を顔面以外の３次元的曲面を有する支持部材に密着良く取付けることも望まれている。
そこで、本願発明は、顔面等の３次元的曲面における比較的長い範囲に対して、アンカー部材を３次元的に追従変形させて、密着取付可能にすることを目的とする。
【課題を解決するための手段】
【０００８】
上記課題を解決するため本願発明は、面ファスナーからなり曲面上へ取付けられて他の被着部材を係合支持するアンカー部材において、
このアンカー部材（２０）は、略帯状の長手部材であり、
前記被着部材（３０）を係止する係合部（２３）が設けられた複数の本体部（２５）と、
隣り合う前記本体部（２５）間を連結する連結部（２６）とを備え、
これらの本体部（２５）と連結部（２６）とが交互に直列状に配列されるとともに、
前記連結部（２６）の横幅が前記本体部（２５）の横幅よりも狭く、前記本体部（２５）よりも曲がり易くなっているとともに３次元的に曲がり可能になっていることを特徴とする。
アンカー部材をこのように構成すると、アンカー部材は連結部にて３次元的に曲がることが可能になる。そこで、アンカー部材を３次元的曲面上に取付けると、アンカー部材は連結部において３次元的に曲がりながら、３次元的曲面に追従変形し、比較的長い範囲でも３次元的曲面に密着する。
【０００９】
なお、アンカー部材を雄側面ファスナーからなり、予め顔面に取付けられるものとし、被着部材をこのアンカー部材により顔面へ試着される顔面装着部材（３０）とするとともに、前記アンカー部材（２０）を顔面上の所定方向へ長く配置される細長形状にすることもできる。
このようにすると、３次元的曲面をなす顔面の比較的長い範囲に、アンカー部材を密着して取付けることができる。このため、顔面装着部材を顔面との間に間隙を少なくして比較的長い範囲で密着させて支持する。
【００１０】
また、顔面装着部材（３０）をマスクカバーもしくはマスクとし、アンカー部材（２０）を、前記顔面装着部材（３０）の本体部（３１）もしくはこの本体部よりも左右へ延出する延出部（３２）の左右方向端部（３３）に沿って、顔面上へ上下方向に長く配置される縦長形状にすることもできる。
このようにすると、マスクカバーもしくはマスクの、本体部（３１）もしくは延出部（３２）の左右方向端部（３３）を上下へ長く顔面へ密着させて支持する。
【発明の効果】
【００１１】
本願発明によれば、アンカー部材として比較的硬くて曲がりにくい面ファスナーを用いたが、アンカー部材を複数の本体部と連結部とで構成した細長形状とし、連結部が本体部より横幅を狭くすることにより曲がり易くするとともに、３次元的に曲がるようにしたので、アンカー部材を３次元的曲面上に比較的長く配置しても、連結部にて３次元的曲面に沿って３次元的に曲がり易くなり、アンカー部材全体が３次元的曲面に馴染んで密着し易くなる。
したがって、３次元的曲面との間に間隙を形成せずに比較的長いアンカー部材を配置できるとともに、このアンカー部材に対して被着部材を係止させることができるので、被着部材が間隙無く面状にアンカー部材へ係止される。このため、被着部材の周囲における３次元的曲面に対する密着度を高くすることができる。
【００１２】
また、アンカー部材を予め顔面上へ取付けるものとし、連結部を設けたことにより、連結部にて顔面の凹凸に沿って曲がり易くなり、アンカー部材全体が顔面の凹凸に馴染んで密着し易くなる。
したがって、顔面の凹凸になっているにもかかわらず、顔面との間に間隙を形成せずに比較的長いアンカー部材を配置できる。
また、被着部材を顔面装着部材とすることにより、顔面装着部材が比較的長い範囲で面状にアンカー部材へ係止され、顔面との間に間隙が少なくなるので、顔面装着部材の周囲における顔面に対する密着度を高くすることができる。
しかも、比較的長い範囲にて密着度が高い状態で支持されるので、顔面装着部材の支持が強固になる。
【００１３】
また、顔面装着部材をマスクカバーもしくはマスクとし、アンカー部材をマスクカバーもしくはマスクの本体部もしくは延出部の左右端部に沿って縦長に上下方向へ比較的長く配置しても、アンカー部材全体が顔面の凹凸に馴染んで密着し易くなる。
したがって、顔面の凹凸にもかかわらず、アンカー部材に対して本体部もしくは延長部の左右方向端部におけるほぼ全長を、間隙少なく面状にアンカー部材へ係止できる。このため、マスクカバーもしくはマスクの左右方向周囲における顔面に対する密着度を高くし、周囲から塵埃等が侵入することを効果的に阻止できる。
しかも、マスクカバーもしくはマスクの左右方向周囲を比較的長い範囲で密着を良く支持するので、剥がれにくくなるとともに、周囲が確実に支持され、支持のない周囲部分がひらひらと揺れて目障りになるようなこともない。
【図面の簡単な説明】
【００１４】
【図１】マスクカバーの装着前状態を示す斜視図
【図２】マスクカバーの装着時状態を示す斜視図
【図３】第１実施例に係るアンカー部材の正面図
【図４】アンカー部材の断面図（図３の４−４線断面図）
【図５】アンカー部材の部分拡大斜視図
【図６】アンカー部材の拡大部分断面図
【図７】アンカー部材の顔面取付状態を示す斜視図
【図８】マスクカバーの取付状態を示す正面図
【図９】顔面取付状態におけるアンカー部材の断面図（図７の９−９線断面図）
【図１０】第２実施例に係るアンカー部材を示す図
【図１１】第３実施例に係るアンカー部材を示す図
【図１２】第４実施例に係るアンカー部材を示す図
【図１３】第５実施例に係るアンカー部材を示す図
【図１４】第６実施例に係るアンカー部材を示す図
【図１５】第７実施例に係る左右方向に配置したアンカー部材を示す図
【図１６】第８実施例に係るアンカー部材の使用状態を示す斜視図
【図１７】図１６におけるアンカー部材の一部拡大断面図
【図１８】バリエーションを示す図１７と同様の断面図
【図１９】他のバリエーションを示す図１８と同様の断面図
【発明を実施するための形態】
【００１５】
図１〜８は第１実施例に係り、図１は支持部材である顔面に予め取付けられたアンカー部材に対して、本願発明における被着部材である顔面装着部材の一例であるマスクカバーを装着する途中の状態、図２は装着後の状態をそれぞれ示す。
顔面１０の耳１１近傍における左右両頬１２に予めアンカー部材２０が着脱自在に取付けられている。
【００１６】
アンカー部材２０は略帯状をなす細長形状の長手部材である。ここで略帯状とは、全体として所定の幅を有しつつ長く延びる平板状の部材を意味し、全長で一様な幅でなく、本実施例のように、その途中が部分的にくびれた連結部２６になっているものも含むものとする。
【００１７】
アンカー部材２０の取付位置は、頬１２のうち、鼻１３と耳１１の中間部で耳１１寄りの位置から口１５の側方部分にかかる上下方向に広い部分である。１４は目、１６は顎、１７は耳前方の髪の毛（「もみあげ」ともいう）である。
【００１８】
なお、アンカー部材２０の取付位置は任意に設定できる。本実施例では、鼻１３及び口１５の側方かつ耳前方の範囲であって、上部は耳の穴前方に位置する突起１１ａの前方となる頬骨上位置１２ａを含み、中間部は耳たぶ１１ｂの近傍であり、下部は口１５の側方となる。
【００１９】
また、アンカー部材２０が頬骨による突起部１８を上下方向に横切って配置される位置でもある。頬骨による突起部１８は、目１４の下方で鼻１３の近傍から耳１１の近傍へ向かって横方向に延びている。
【００２０】
このアンカー部材２０の取付位置は、アンカー部材２０を容易に取付けできるスペースがあるとともに、マスクカバー３０の支持に適した位置である。また、マスクカバー３０を取付けずにアンカー部材２０だけを顔面に取付けて顔面装飾部材として用いる場合に、アンカー部材２０を露出させて周囲から見えやすくする位置でもある。
【００２１】
また、耳前方の髪の毛１７と耳１１との間に形成される耳前方部１２ｂも、アンカー部材２０の上部取付位置に適している。この位置は、特に化粧をした女性などにおいても、この部分はほとんど化粧がされないため、アンカー部材２０を着脱しても、化粧が乱れる心配のない部分である。
なお、耳前方部１２ｂは、比較的前後方向（横幅方向）の狭い部分であるが、アンカー部材２０を縦長形状にしておくことにより、耳前方部１２ｂへ容易に取付けることができる。
【００２２】
左右のアンカー部材２０にはマスクカバー３０の左右両端が着脱自在に止着される。
マスクカバー３０は本願発明における顔面装着部材の一例であり、左右方向中間部の本体部３１と、その左右両側から耳１１方向へ延びる延出部３２を一体に備え、顔面へフィットするように立体的に形成されている。
マスクカバー３０は不織布からなる通気性を有する繊維素材であり、左右の頬１２間を横断して顔面１０のほぼ下半部全体を覆う左右方向へ長い部材であり、鼻１３、口１５、顎１６を覆う。
【００２３】
なお、マスクカバー３０の素材は不織布に限らず、通気性を有する繊維素材であれば適宜使用できる。また、顔面装着部材がマスクカバー３０以外であれば、必ずしも通気性を有する繊維素材でなくてもよく、例えば、通気用の開口を適宜の大きさ及び数で設けた非通気性の樹脂製シートであってもよい。
【００２４】
本体部３１は後述する交換マスク３４に重なる部分であり、延出部３２はこの本体部３１から左右へ延びる略３角形状の部分である。この略３角形状部分は、本体部３１の左右方向端部（交換マスク３４の左右方向端部と重なる部分）を底辺とし、上縁３２ａの左右方向端部を頂点とし、側縁及び下縁を斜辺としている。頂点部分は最も耳１１方向へ延び出している。延出部３２の側縁及び下縁は左右方向端部３３であって、３角形状の斜辺に相当する単一の曲線状をなしている。
【００２５】
延出部３２の左右方向端部３３は、鼻１３及び口１５の側方を上下方向へ延びており、長さ方向中間部は外方（耳１１側）へ凸に湾曲する湾曲形状をなし、上端部は比較的小さなアールで延出部３２の上縁３２ａへ連続している。下方側は顎１６近傍に位置するマスクカバー３０における本体部３１の下縁３１ａへ向かって比較的大きなアールで本体部３１の下縁３１ａへ連続している。
【００２６】
本実施例におけるマスクカバー３０は全体が不織布からなり、その延出部３２の左右方向端部３３が、雄側の面ファスナーで構成されているアンカー部材２０へ係脱自在な雌側面ファスナーとして機能する結合部になっている。すなわち、延出部３２の左右方向端部３３は、特別な雌側面ファスナー等の係合部材を設けなくても雌側面ファスナー機能部となり、延出部３２の左右方向端部３３全体がそのままアンカー部材２０に対する係脱自在な結合部となる。
【００２７】
なお、マスクカバー３０がフェルトや不織布、又はガーゼのような織布などの布であり、アンカー部材２０に結合する部分の表面が起毛等していれば、この部分は雌側面ファスナー機能部をなし、特別な雌側面ファスナー等の係合部材を設けなくても、そのままアンカー部材２０に係合できる結合部となる。
【００２８】
また、マスクカバー３０が布であっても、平織りの場合は、別体の雌側面ファスナーを取付けることが好ましい。この場合、延出部３２の左右方向端部３３の裏面（顔面１０に対面する側）でアンカー部材２０に重なる位置に、雌側面ファスナーを両面接着等で予め取付けておく。すなわち、延出部３２の左右方向端部３３における雌側面ファスナー機能部は、別体の雌側面ファスナーを取付けて構成する場合と、別体の雌側面ファスナーを省略して素材自体で構成する場合とがある。
【００２９】
本体部３１の裏側には、医療用もしくは衛生用の交換マスク３４が重ねられている。交換マスク３４は、例えば花粉対策として５μｍ以上の微粒子を捕捉できる家庭用の衛生マスクであり、例えば、市販されている既製品から耳掛け紐を除去して形成できる。なお、ガーゼや不織布などの適当な素材を単純に四角状に折り畳んだものでもよい。また、マスクの性能は、より小さな微粒子を捕捉できる医療用や産業用のものでもよい。
【００３０】
この交換マスク３４は、本体部３１の裏側へ重ねられることにより、鼻１３、目１４もしくは口１５を覆った状態で、マスクカバー３０により顔面１０上へ固定される。但し、交換マスク３４をマスクカバー３０へ、より確実に固定させるには、必要により両面接着テープ等により仮止めすることもできる。
【００３１】
図１に示すように、本体部３１の裏側へ交換マスク３４を重ね、延出部３２の左右方向端部３３のうち一方側を予めアンカー部材２０へ係合させ、本体部３１及び交換マスク３４を鼻１３、目１４上へ重ね、他方側の左右方向端部３３を対向する側のアンカー部材２０へ重ねて係合させる。
【００３２】
これにより、図２に示すように、マスクカバー３０は延出部３２の左右方向端部３３が左右両頬１２上のアンカー部材２０へ係合することにより顔面１０上に止着固定され、同時に交換マスク３４もマスクカバー３０により顔面１０上に固定される（図８参照）。
【００３３】
この装着状態において、左右の延出部３２は交換マスク３４から左右へ延び、耳１１近傍まで頬１２の上を覆う。また、上下方向にても、本体部３１の上下部が交換マスク３４の上下を越えて長く延びている。
したがって、マスクカバー３０は交換マスク３４を完全に覆い、交換マスク３４を露出させないため、顔面装飾としても機能している。
また、交換マスク３４を耳掛け紐で耳１１へ掛けないため、長時間装着しても耳の付け根が痛くなることがない。
【００３４】
また、アンカー部材２０は予め顔面１０へ取り付けたままとしておくことができる。アンカー部材２０は顔面へ粘着剤により取付けてから一度剥がすと、粘着剤の表面に皮脂が付着することにより、再度の粘着が困難になり、繰り返し使用が難しくなるが、アンカー部材２０を剥がさなければアンカー部材２０は顔面１０に対する当初の取付状態を維持し、アンカーとしての機能を失わない。そこで、アンカー部材２０を剥がさず、マスクカバー３０のみを脱着することにより、顔面１０へマスクカバー３０を複数回着脱できる。
【００３５】
しかも、マスクカバー３０を装着しないときは、アンカー部材２０が顔面１０の上に露出して配置されることになるが、アンカー部材２０の表面には後述するように、印刷により装飾が施すこともでき、アンカー部材２０を積極的に顔面１０の装飾部材として機能させることができる。
【００３６】
次に、アンカー部材について説明する。図３はアンカー部材の正面図、図４はその長さ方向断面図（図３の４−４線に沿う断面図）である。
アンカー部材２０は、複数の本体部２５と、隣り合う２つの本体部２５を連結する連結部２６とで構成された連続一体のものである。
【００３７】
本体部２５は、マスクカバー３０における左右の延出部３２の端部を係止する主体部であり、この例では、長辺部を一方側へ湾曲させた長円形状になっている。本体部２５は複数設けられ、その数は任意である。本例では３個となっている。区別が必要な場合は、便宜的に図の上方から下方へ順に、上部２５Ａ、中間部２５Ｂ、下部２５Ｃとして区別する。各本体部２５はほぼ同形・同寸である。但し、個々の本体部２５の形状や寸法を異ならせることは自由にできる。
【００３８】
隣り合う本体部２５間は、連結部２６で相互に連結一体化されている。連結部２６は本体部２５と比べて著しく細くなって曲がり易い部分であり、本体部２５の横幅ａに対して連結部２６の横幅ｂは著しく小さくなっている（ａ＞＞ｂ）。
【００３９】
本体部２５の横幅ａは、マスクカバー３０を係止する必要上、比較的大きな係合面積を確保するため大きなものとなる。一方、連結部２６の横幅ｂは、各本体部２５を連結して一体化することにより取扱性を良好にすることができる範囲で、できる限り曲がり易くすることが求められるので、横幅ａに比べて著しく小さなものとなる。
【００４０】
この連結部２６により、本体部２５を同一平面内で曲げることが可能になる。例えば、下部２５Ｃを中間部２５Ｂに対して、アンカー部材２０の置かれている同一平面内で、図の左右方向（矢示Ｘ方向）へ自在に曲げることができる。この方向の曲げを横曲げということにする。
【００４１】
なお、連結部２６の横幅ｂ及び長さｃは曲がり易さを維持する程度で自由に設定され、本実施例では、各連結部２６の横幅ｂ及び長さｃは一定であるが、個々に横幅ｂ及び長さｃを変更することもできる。特に、横幅ｂは連結部２６を捻るように曲げる場合もあることを考慮してできるだけ小さくして、糸状もしくは紐状程度にすることが好ましい。
【００４２】
この例では、良好な曲がり易さと製作性を考慮して、０．２ｍｍ〜０．３ｍｍのほぼ髪の毛程度に設定している（但し、図は横幅ｂを誇張して大きく表現している）。また、ａとｂの比率では、例えば、ｂはａの１／３〜１／５０程度とすることが好ましい。なお、ｂが２〜６ｍｍ程度のものを紐状とし、２ｍｍ未満のものを糸状ということにする。
【００４３】
各本体部２５は長さ方向を概ね上下方向へ向け、連結部２６により直列的に連結一体化され、全体としても個々の本体部２５が湾曲すると同じ方向（顔面の内側）へ湾曲した曲線状をなし、延出部３２の左右方向端部３３に沿って、その上下方向ほぼ全長に対応する長さになっている。
なお、本体部における上部２５Ａの上端部及び下部２５Ｃの下端部はそれぞれ内側へ傾いている。
【００４４】
図４に示すように、アンカー部材２０は、基部２１と、その裏面（顔面１０側の面）へ医療用粘着剤（生体用粘着剤）が塗布された粘着層２２と、基部２１の表面に突出形成された雄側係合突起からなる係合部２３との３層構造である。なお、係合部２３は基部２１と一体に形成されるが、多数の係合突起からなる部分であるため、便宜的に基部２１と異なるハッチングで示してある。また、連結部２６の外観形状も便宜的なものにしてある。
【００４５】
本体部２５には係合部２３が設けられている。係合部２３の厚さ（基部２１からの突出高さ）をｄとし、基部２１の厚さをｅとすれば、係合部２３の厚さｄは基部２１の厚さｅよりも著しく大きくなっている（ｄ＞＞ｅ）。ｆは本体部２５の長さであり、必要な係合面積が得られるように、横幅ａとの兼ね合いで適宜設定される。
連結部２６は本体部２５と連続しているので、連結部２６にも係合部２３が設けられ、その厚さはｄである。
【００４６】
なお、連結部２６の係合部２３を除去することもできる。すなわち、連結部２６の係合部２３を機械加工による切削や熱プレスによる押しつぶし等で除去することができる。こうすることで、連結部の厚みをｄもしくはこれよりも薄くして、連結部２６をより曲がり易くすることができる。
【００４７】
この連結部２６により、アンカー部材２０を長さ方向に沿って切った断面（すなわち図４）において本体部２５を曲げることが可能になる。例えば、下部２５Ｃを中間部２５Ｂに対して、図示断面において、図の左右方向（矢示Ｙ方向）、すなわち顔面１０の表側又はその反対側（裏側）へ自在に曲げることができる。この方向の曲げを上下曲げということにする。すなわち連結部２６は３次元的に曲がることが可能になっている。
【００４８】
このようなアンカー部材２０の寸法の一例として、全長を約１０ｃｍ、各本体部２５の長さｆを約３ｃｍ、横幅ａを約１ｃｍ、各連結部２６の長さを約５ｍｍ、横幅ｂを０．２ｍｍ〜０．３ｍｍ、全体の厚さを約０．４５ｍｍ、係合部２３の厚さｄを約０．３ｍｍ、基部２１の厚さｅを約０．１ｍｍとすることができる。
【００４９】
このように、アンカー部材２０は顔面装着部材を止着するために係合する主体となる本体部２５を複数に分割し、これらの本体部２５を曲がり易い連結部２６で連結し、略帯状をなす細長い形状にしたので、凹凸のある３次元的曲面をなす顔面１０に対して、横曲げや縦曲げ、さらには連結部２６を捻るようにして横曲げと縦曲げを同時にする斜め曲げにより、アンカー部材２０を３次元的に自在に曲げて顔面１０へ密着させながら幅広い範囲に取付けることができる。
なお、連結部２６は曲げやすい関節的な作用をする部分であるから、アンカー部材２０は長さ方向に複数の関節を設けて、全体として曲げやすくなった、多関節構造を有するものであるとも表現できる。
【００５０】
アンカー部材２０は、帯状に連続して製造された雄側面ファスナーの原反ロール、もしくは予めこれを適当長さにカットした正方形もしくは長方形のカットシートから切り出される。原反ロールやカットシートをアンカー部材２０の原材料という。
なお、アンカー部材２０の表面に後述するインクジェット印刷をする場合には、アンカー部材２０を切り出す工程に先立って、原材料に対して印刷工程がおこなわれる。
【００５１】
本実施例のアンカー部材２０は、カットシートから、本体部２５と連結部２６を有する細長い所定形状に切り出される。このとき、連結部２６も所定の横幅をなすようにカットされ、連結部２６表面には係合部２３が形成されている。そこで、連結部２６の係合部２３を除去する場合には、この後の工程にて機械的に除去するか、カット前に熱プレス等で係合部２３を消滅させる等して除去する。
【００５２】
以下、アンカー部材２０の細部構造を説明する。図５はアンカー部材２０を構成する基部２１の表面側の一部を拡大した斜視図、図６はその一部を拡大した拡大断面図である。
まず、図５において、基部２１は、ポリプロピレン樹脂等の適宜熱可塑性樹脂からなり、その表面に多数の雄側係合部２３が密に立設されている。
【００５３】
各雄側係合部２３は、略きのこ型をなし、基部２１から一体に突出形成された軸部２３ａと、その突出側先端を略偏平形状にした拡大頭部２３ｂとを有する。
この例における拡大頭部２３ｂは軸部２３ａの軸方向から見た平面視で小判状又は長円状になっており、長径部分が最大幅部、短径部分が小幅部になっている。各雄側係合部２３は、隣り合う拡大頭部２３ｂの間に若干の間隙を形成するようにして配列されている。
【００５４】
図６に示すように、多数の拡大頭部２３ｂがそれぞれ略偏平形状をなし、若干の間隙を介しつつ隣り合って密に配列されることにより、表面側を所定距離離れて見たとき（以下、離隔観察という）、各拡大頭部２３ｂの表面がほぼ平坦で実質的に連続する同一平面をなすように見える。したがって、この平面を印刷面としてインクジェット印刷をすることができる。そこで、必要によりアンカー部材２０の表面に対してインクジェット印刷をすれば、装飾印刷層２４を形成することができる（図４参照）。
【００５５】
なお、隣り合う拡大頭部２３ｂ間の間隙もインクジェット印刷されるので離隔観察時には間隙部分も装飾印刷層２４の連続する一部をなすように見える。したがって、装飾印刷層２４はあたかも単一な平面上に印刷されたかのように、滑らかに連続する単一の印刷層からなるもののように見える。このため面ファスナーの表面に対する印刷であっても、宝飾類（ビジュー）などを模した高精細で装飾効果の高い表現が可能になる。
【００５６】
装飾印刷層２４は、例えば、宝飾類（ビジュー）を模した宝飾風装飾印刷（ビジュー印刷という）となっている。ビジュー印刷とすることにより、アンカー部材２０を顔面１０へ取付けたまま、これへマスクカバー３０を係合しない状態で、顔面１０を装飾する宝飾風顔面アクセサリーとすることができる。したがって、アンカー部材２０を単独で比較的長時間顔面１０上へ取付けておくことが可能になる。
但し、装飾印刷層２４としてビジューの印刷は必須ではなく、宝飾風以外の模様や形状等からなる適宜装飾にすることができる。
【００５７】
アンカー部材２０は薄型に形成される。図６において寸法の一例を示せば、基部２１の肉厚ｔ１が０．１ｍｍ及び粘着層２２の肉厚ｔ２が０．０５ｍｍ、雄側係合部２３の突出長さ（印刷層２４ａを含む）ｈが０．３ｍｍ、全体の肉厚ｔ３が０．４５ｍｍである。なお、インクジェット印刷による装飾印刷層２４の厚さは、数μｍ以下のため無視してある（但し、図中の膜厚は誇張して拡大表示している）。
【００５８】
このように、全体の肉厚ｔ３がばらつきを考慮しても、０．３〜０．５ｍｍ程度になるので、極めて薄型となり、顔面へ装着して使用しても視界に入りにくくなり、不快感なく使用可能になる。また、顔面装着部材の着脱時においても、薄いため他の部材に引っかかりにくくなって剥がれにくくなる。
【００５９】
なお、本願における薄型のアンカー部材２０は、その厚さが、０．３ｍｍ〜１．０ｍｍの範囲で設けられる。１．０ｍｍより厚くなると目障りになりやすく、しかも他の部材に引っかかりやすくなって剥がれやすくなる。
したがって上限側の厚みはできる限り、０．８ｍｍ以下にすることが好ましい。最も好ましい厚さは０．３ｍｍ〜０．８ｍｍである。これより薄くすることは製造上困難であるとともにアンカー部材としての機能が著しく低下する。
【００６０】
また、拡大頭部２３ｂの最大幅部の寸法ｄ１が０．６ｍｍ、軸部２３ａの直径Ｄが０．２ｍｍ、隣り合う拡大頭部２３ｂの各最大部間の間隙ｄ２が０．２ｍｍである。なお、隣り合う拡大頭部２３ｂの小幅部間の間隙ｄ４（図５参照）もｄ２と同程度もしくはそれより若干狭い程度になっている。
雄側係合部２３は比較的高密度に形成され、髪の毛が絡みにくい構造になっている。
【００６１】
このように、軸部２３ａが比較的細くかつ突出長さの短い雄側係合部２３を密に設けることにより、薄型の雄側面ファスナーを実現でき、顔面に取付けたとき、顔面から突出する量が少なく、違和感なく快適に顔面へ取付けて使用できるアンカー部材２０とすることができる。また、アンカー部材２０は、その輪郭が粘着層２２の輪郭と一致することにより、小型化されている。
【００６２】
基部２１の裏面は平滑面をなしている。これは、基部２１と雄側係合部２３を一体に形成することにより可能になる。仮に、雄側係合部２３を基部２１と別部材として、基部２１へ植毛するように突き刺して設けるとすれば、裏面に雄側係合部２３の端部が多数突出し、この突出部によって裏面が凹凸面になるため、これを顔面へ接触させれば、痛覚を覚えることになり、実際上使用できない。顔面上で使用するには特許文献２に示した結合部のような大きな別部材を介在させて面ファスナーが直接顔面へ接触しないようにしなければならない。
【００６３】
しかし、本願における基部２１の裏面は平滑面をなしているので、顔面へ不快感を与えずに取付け、顔面への粘着層２２を介しての直接取付が可能になる。
そのうえ、基部２１を粘着層２２で顔面へ直接取付けできるので、他の比較的大きな介在部材を要さず、アンカー部材２０は雄側面ファスナー機能部のみの外観をなすため、不要物を外観させず、装飾的に優れた外観にすることができ、かつ比較的小型にして、顔面取付時における苦痛や不快感を低減させている。
【００６４】
このようにアンカー部材２０が薄型であると、顔面１０の頬１２もしくは頬骨上位置１２ａ（図１）等へ取付けても顔面からの突出量が少ないため、目尻側等の視界内に入って目障りになることが少なくなる。このため、顔面アクセサリーとして単独使用するときも、違和感を少なくして、長時間快適に使用することができる。
そのうえ、小型でかつ突出量の少ない薄型になっているため、顔面装着部材の脱着時等において他の部材等と接触しても剥がれにくくなる。また、接触すること自体も少なくなる。
なお、この寸法は一例であり、使用目的等により自由に種々設定できる。
【００６５】
また、拡大頭部２３ｂを設けることによって、雌側面ファスナー機能部との係合力に大きな方向性を形成できる。すなわち、雌側面ファスナー機能部と係合したとき、係合力は軸部２３ａの軸直交方向の係合力Ｆ１は大きく、雌側面ファスナー機能部を剥がすときにおける軸方向の係合力Ｆ２は小さくなる。
ここで、係合力Ｆ１及びＦ２並びに顔面に対する粘着による結合力Ｆ３は、Ｆ３＞Ｆ１＞Ｆ２の関係を満たすように設定される。
【００６６】
係合力Ｆ２は、図６に示すように、拡大頭部２３ｂの傾斜面２３ｃによって調整される。拡大頭部２３ｂの裏面は、軸部２３ａから拡大頭部２３ｂの突出方向（図の左右方向）先端に向かって斜め上がりに傾斜する傾斜面２３ｃになっている。このようにすると、拡大頭部２３ｂに係合している雌側面ファスナー機能部を、軸部２３ａの軸方向に沿って図の上方へ矢示Ｆ２方向へ剥がすとき、係合力を弱くして剥がし易くなるように調整できる。
このＦ２方向へ剥がすときの係合力Ｆ２は、傾斜面２３ｃの傾斜角度調整や湾曲もしくは凹凸等の種々形状を施すことにより自由に調節できる。
【００６７】
このように、剥離時の結合力Ｆ２を粘着層２２が顔面へ粘着している結合力Ｆ３より小さくすることで、アンカー部材２０を顔面へ粘着させた状態のまま、雌側面ファスナー機能部をアンカー部材２０から容易に剥がすことができる。その結果、アンカー部材２０は顔面へ粘着されたままの状態を維持するので、マスクカバー３０を取り外した後も、アンカー部材２０を顔面へ残しておくことができ、マスクカバー３０の交換や着脱を繰り返すことができる。また、マスクカバー３０を取り外したときは、アンカー部材２０を単独で、顔面上のアクセサリーとして装飾的に使用することができる。
【００６８】
また、アンカー部材２０をマスクカバー３０と一緒に一度顔面から剥がすと、その後再び同じアンカー部材２０を顔面へ取付けようとしても、顔面の皮脂のために粘着層２２の粘着力が低下しているため、顔面へ粘着しにくくなる。このため、同じアンカー部材２０を顔面へ何回も着脱して反復使用することが困難になる。しかし、アンカー部材２０を剥がさず、装飾部材として顔面上へ残しておくことにより、同じアンカー部材２０に対して同一又は異なるマスクカバー３０を何回も着脱することが可能になり、アンカー部材２０を使い捨てでなく、長く使用することができる。
【００６９】
次に、本実施例の作用を説明する。図７はアンカー部材２０を貼った状態における顔面の左半分を示す斜視図、図８はアンカー部材２０にマスクカバー３０における左右の延出部３２の左右方向端部３３を係止した状態の正面図、図９は図７の９−９線に沿う断面図である。
【００７０】
これらの図において、まずアンカー部材２０を左右の頬１２の上に貼る（図７参照）。アンカー部材２０を貼る位置は、図８に示すように、マスクカバー３０における延出部３２の左右方向端部３３が重なる位置であり、全体を上下方向に長くし、内側へ湾曲させて延出部３２の左右方向端部３３に沿うように配置する。
【００７１】
このとき、本体部の上部２５Ａは、延出部３２の上縁３２ａと延出部３２の左右方向端部３３の接続部へ臨むように上端部を若干内側へ向けて配置する。また、本体部の下部２５Ｃは、口１５の口角近傍へ向かって下端部を若干内側へ向けて配置する。さらに、本体部の上部２５Ａと中間部２５Ｂとの連結部２６が頬骨による突起部１８の上に重なるように配置する。
【００７２】
このように配置した状態で、アンカー部材２０を顔面１０へ押しつけると、アンカー部材２０は、鼻１３及び口１５の側方に上下方向へ長く、かつ湾曲した曲線状をなして、粘着層２２により顔面１０へ貼り付けられる。
【００７３】
このとき、図９に示すように、本体部の上部２５Ａと中間部２５Ｂとの間に頬骨による突起部１８があり、顔面１０に大きな凹凸が生じているが、この頬骨による突起部１８の上には連結部２６が位置しているため、アンカー部材１０は連結部２６により大きく曲げることができ、上部２５Ａと中間部２５Ｂは頬骨による突起部１８を挟んでその上下に位置して、それぞれ顔面１０へ密着できる。したがって、アンカー部材１０が上下方向へ長く配置されて、顔面１０を左右方向へ延びる頬骨による突起部１８を横切っても、顔面１０へ馴染んで変形して顔面１０に対する密着を維持できる。
【００７４】
さらに、中間部２５Ｂと下部２５Ｃも、顔面１０の頬骨による突起部１８より下方位置に貼り付けられる。この部分の顔面１０にも凹凸があるが、とき、中間部２５Ｂと下部２５Ｃの間にも連結部２６があるため、連結部２６で容易に曲がり、中間部２５Ｂと下部２５Ｃも顔面１０へ馴染んで変形しながら密着する。
【００７５】
また、本体部の上部２５Ａと下部２５Ｃは、連結部２６により内側又は外側（図３のＸ方向）へも曲げやすくなる。このため、鼻１３や口１５の位置が変化したり、顔面１０の凹凸が変化し、アンカー部材２０の標準状態（設計状態）における湾曲形状が適合しなくなっても、上部２５Ａと下部２５Ｃを内側又は外側へ適宜曲げることにより、アンカー部材２０を標準状態（設計状態）のた場合でも、延出部３２の左右方向端部３３へ沿わせるように配置することができる。
【００７６】
このようにして取付けられたアンカー部材２０に延出部３２の左右方向端部３３を重ねて押しつけると、アンカー部材２０の雄側係合部２３に係合するので、マスクカバー３０はアンカー部材２０により顔面１０へ係止される。
このとき、図８に示すように、アンカー部材２０は延出部３２の左右方向端部３３へ沿って、かつそのほぼ全長に沿って設けられるので、延出部３２の左右方向端部３３全体を顔面へ密着させ、鼻１３及び口１５の周囲を、延出部３２の左右方向端部３３の外側空間と遮断できる。
【００７７】
しかも、図９に示すように、アンカー部材２０を上下方向へ長く配置して、頬骨による突起部１８を含む顔面１０の凹凸に重なるように配置して、連結部２６による３次元的な曲げ性の確保により、アンカー部材２０全体が３次元的曲面をなす顔面１０の凹凸に追従して変形し、顔面１０の曲面に馴染んで密着するので、アンカー部材２０と顔面１０との間にも間隙が生じにくくなる。
したがって、延出部３２の左右方向端部３３からの花粉や微細な塵埃等の侵入をより高精度に阻止できる。
【００７８】
また、アンカー部材２０が上下方向へ比較的長い帯状をなすので、延出部３２の左右方向端部３３は比較的長い範囲で密着度が高い状態で支持されるから、マスクカバー３０は強固に支持され、剥がれにくくなるとともに、確実に支持され、周囲部分がひらひらと揺れて目障りになるようなこともない。
【００７９】
なおこの例では、下部２５Ｃの下端が口１５の側方にあるが、下部２５Ｃを長くするか、下部２５Ｃの下方へ別の本体部を１又は２以上並びに連結部を追加することによりアンカー部材を長くして、アンカー部材の下端部を顎１６に向かって口１５の下方へ延ばすようにすることもできる。このようにすると、鼻１３及び口１５の側方における延出部３２を、より広範囲に顔面へ密着させることができる。
【００８０】
図１０〜図１３はアンカー部材の別実施例を示す。図１０はアンカー部材をよりシンプルな形状とした第２実施例であり、Ａは図３と同様の正面図、ＢはＡの１０−１０線に沿う断面図である。
【００８１】
このアンカー部材４０は、長方形をなす３個の本体部４５と隣り合う本体部４５を連結する連結部４６からなり、全体として一直線状をなす。
本体部４５はそれぞれ同形・同寸の上部４５Ａ・中間部４５Ｂ及び下部４５Ｃからなり、２つの連結部４６も同形・同寸である。連結部４６の係合部は除去され、連結部４６の厚さは基部２１の厚さ（図４参照）と同程度の薄いものになっている。
【００８２】
なお、アンカー部材４０の断面図構造は、第１実施例と同じく、基部２１の裏側に粘着層２２及び表側に係合部２３を形成したものである。断面図構造については第１実施例と同じ符号を用いるものとする。次の図１１も同様である。
このようにすると、シンプルな形状にでき、原材料からのカットは最も材料ロスを少なくすることができる。しかも、連結部２６が薄くなり、より曲がり易くなっている。
【００８３】
また、顔面の凹凸に合わせた曲げや、内側又は外側に対する曲げは連結部４６により確保される。これらの曲げは、連結部４６の横幅ｂ、長さｃ及び厚みｅを適宜調節することにより自在にできる。なお、各本体部４５及び連結部４６の横幅ａ及びｂ並びに長さｆ及びｃ並びに厚みｄ及びｅはそれぞれもしくは適当ないくつかを異ならせることができる。また本体部４５の個数や形状も同様に個々もしくはいくつかを任意に異ならせることができる。
【００８４】
図１１はアンカー部材を別なシンプルな形状とした第３実施例であり、Ａは図１０のＡと同様の正面図、ＢはＡの１１−１１線に沿う断面図である。
このアンカー部材５０は、円形をなす３個の本体部５５と隣り合う本体部５５を連結する連結部５６からなり、直線状をなす。連結部５６は糸のように細くなっている。連結部５６が細くて曲がり易くなっているため、連結部５６にも雄側係合部２３が残されている。
【００８５】
すなわち、原材料からカットしたままとし、その後の連結部５６から雄側係合突起を除去する工程を省略してある。このようにすると、材料ロスを少なくするとともに、最も作りやすくなる。なお、本体部５５の形状・寸法・個数は自由であり、形状・寸法は個々にもしくは任意にいくつかを異ならせることができる。また、雄側係合部２３を残した連結部５６を、他の実施例等における本体部と組み合わせることもできる。
【００８６】
図１２は、第４実施例に係るアンカー部材６０の正面図であり、連結部をスリットで形成したものである。
このアンカー部材６０は上下方向に長い帯状をなし、その左右両側辺から中央側へ切り込み状のスリット６１を長さ方向へ等間隔で形成し、狭隘部を連結部６６としたものである。連結部６６の長さは最短であるが、スリット６１の数を多くし、連結部６６と小さな本体部６５を多数形成することにより、顔面の凹凸に合わせて曲げ易くなっている。またスリット６１がＶ字状をなすことにより、アンカー部材６０の適所を内側もしくは外側へ横曲げし易くなっている。
【００８７】
アンカー部材６０の長さ方向一端部は円弧状部６２をなし、他端部はこの円弧状部６２が嵌合する円弧状凹部６３になっている。このアンカー部材６０を複数用意し、一つのアンカー部材６０の円弧状凹部６３に、別のアンカー部材６０の円弧状部６２を嵌合することにより、連続して長いアンカー部材を容易に形成できる。しかもその長さは連結するアンカー部材６０の数によって自由に調整できる。また、円弧状部６２と円弧状凹部６３との嵌合部において、隣り合うアンカー部材６０を相対的に大きく横曲げできる。
【００８８】
なお、スリット６１の形状、寸法、位置、間隔及び数等は任意である。また、スリット６１をアンカー部材６０の左右両側辺のうちいずれか一方側へのみ設けてもよく、左右非対称にして、例えば、千鳥状に配置しても良い。
この場合も、材料ロスが少なく作りやすいものになる。
【００８９】
図１３は、第５実施例に係るアンカー部材７０の斜視図であり、図３の本体部と同形状をした本体部７５を糸状又は紐状の連結部７６で連結したものである。なお、本体部７５の形状は図示のものに限らず、種々可能である。
この連結部７６は、伸縮性のない糸や紐をリング状にして隣り合う本体部７５を連結したものであり、連結部７６は最も曲がり易くなる。
【００９０】
また、連結部７６をゴム紐のような伸縮性に富む材料からなるものとすれば、さらに曲がり易くなる。なお、連結部７６は必ずしもリング状にする必要はなく、例えば、１本の糸や紐の両端を隣り合う本体部７５の対応する端部へそれぞれ結合させたものでもよい。
また、各本体部７５はすべて同形・同寸とすれば、製造作業が単純になり、量産性に優れたものになる。
【００９１】
図１４は、第６実施例に係るアンカー部材８０を示し、図のＡに単位部材８１の正面図、図のＢに単位部材８１を連結してなるアンカー部材８０の正面図を示す。このアンカー部材８０は、同じ単位部材８１を複数用意し、これらを分離可能に連結したものである。Ａに示すように、単位部材８１は角部を丸めたほぼ長円形状の本体部８５と、その長さ方向一端に設けられた円形の連結穴８２及び開放部８３と、他端側に設けられている円形の連結部８６を備える。円形の連結部８６は首８７を介して本体部８５の他端から突出形成されている。
【００９２】
連結穴８２は連結部８６が嵌合する大きさに形成され、その周囲のうち本体部８５の長さ方向一端に相当する部分は開放部８３をなし、首８７が嵌合可能になっている。
開放部８３の開口幅は、首８７が揺動して横曲げが容易になるように、首８７の幅よりも大きくなっている。
【００９３】
この単位部材８１を用いてアンカー部材８０を形成するには、まず同じ単位部材８１を２つ用意して一方の連結穴８２に他方の連結部８６が重なるように直列に並べる。一方の単位部材８１の連結穴８２に、他方の連結部８６を嵌合すると、一組の単位部材８１が連結一体化される。このとき、首８７は開放部８３から外方へ出る。
そこで、これを任意数繰り返すことにより、図のＢに示すような、略鎖状に連続して所望の長さを有するアンカー部材８０が形成される。この例では、３個の単位部材８１で構成されている。
【００９４】
このようにしてなるアンカー部材８０は、隣り合う本体部８５が連結部８６で連結されるとともに、円形の連結部８６が連結穴８２へ嵌合することにより、円形の連結部８６が連結穴８２内で回動自在になることにより、隣り合う本体部８５が相対的に横曲げ可能になる。この曲げは主として横曲げになるが、縦曲げも可能である。但し、首８７が存在するため、この首８７により、縦曲げや捻り曲げが可能になる。
したがって、曲げの自由度が大きなアンカー部材８０が得られる。
【００９５】
なお、連結部８６や首８７の寸法は自由に設定できる。特に首８７の長さを調整することにより、縦曲げや捻り曲げの程度を任意に調整できる。
また、単一の単位部材８１を複数用意しておくことにより、長さや全体の曲がり形状を変化させたアンカー部材８０を容易に形成できるので、長さや形状の自由度が高くなり、かつ経済的でもある。
【００９６】
図１５は、第７実施例に係るアンカー部材９０を示す。このアンカー部材９０は、ほぼ第２実施例（図１０）のアンカー部材４０と同様のものであるが、比較的長く形成するとともに、鼻１３を横断して左右方向へ配置したものである。
この場合、鼻梁１３ａ上に長さ方向中央部に設けられている第１連結部９６Ａを配置し、これにより連結される一組の第１本体部９５Ａをその左右に振り分け配置する。
左右の鼻の付け根部１３ｂ上に、第１本体部９５Ａと第２本体部９５Ｂを連結する第２連結部９６Ｂを配置する。第２本体部９５Ｂは、鼻の付け根部近傍の顔面上に配置される。第２本体部９５Ｂは第３連結部９６Ｃにより、さらに外側の第３本体部９５Ｃに連結される。
【００９７】
なお、第３本体部９５Ｃの数は任意であり（この例では左右に各２個）、その数に応じて第３連結部９６Ｃの数も決定される。
このようにすると、第１連結部９６Ａが鼻梁１３ａ上に位置するので、最も曲がりがきつい鼻梁１３ａ上であっても、第１連結部９６Ａが十分に大きく縦曲げされるため、左右の第１本体部９５Ａが鼻梁１３ａの左右へ密着される。また、鼻の付け根部１３ｂ上に、第２連結部９６Ｂが位置するため、第２連結部９６Ｂが鼻の付け根部１３ｂ上にて谷折り状に十分大きく縦曲げされるため、左右の第２本体部９５Ｂも鼻の付け根部１３ｂ近傍の顔面上に密着される。
【００９８】
また、第３連結部９６Ｃ及び第３本体部９５Ｃも、鼻１３の側方における顔面の左右に、その３次元的曲面に追従して横方向へ長く配置されて密着される。
そこで、このアンカー部材９０の上に、マスクカバーもしくはマスクを重ねて止着すれば、マスクカバーもしくはマスクの上縁は顔面へ密着される。したがって、アンカー部材９０を顔面の左右方向へ長く配置しても、顔面における３次元的曲面に追従して密着取付けできる。
【００９９】
その結果、マスクカバーもしくはマスクの上縁を顔面へ密着支持できる。
これにより、マスクカバーもしくはマスクの上縁、特に鼻梁１３ａを横断する部分における顔面との隙間を極力無くすことができる。その結果、マスクカバーもしくはマスクの上縁における間隙から呼気が洩れて眼鏡を曇らすような現象も解消される。
【０１００】
なお、第１連結部９６Ａ、第２連結部９６Ｂ及び第３連結部９６Ｃは、長さや幅を互いに異ならせて、鼻梁１３ａや鼻の付け根部１３ｂ上へ適切に配置されるように調整することができる。また、第１本体部９５Ａ、第２本体部９５Ｂ及び第３本体部９５Ｃも、長さや幅を互いに異ならせることができる。また、第３本体部９５Ｃ及び第３連結部９６Ｃの数を調整することにより、アンカー部材９０の左右方向における全長を調整できる。
また、このような横長のアンカー部材９０として、他の実施例１〜６におけるアンカー部材を利用することもできる。
【０１０１】
本願発明は上記の各実施例に限定されるものではなく、発明の原理内において種々に変形や応用が可能である。例えば、顔面装着部材は、医療用又は衛生用のマスク、アイマスク、仮装用などのお面等がある。
【０１０２】
また、顔面装着部材をマスクカバーとしたとき、このマスクカバーを交換マスク３４より若干大きな形状とすることにより、延出部３２を最小にすることもできる。この場合、マスクカバーを交換マスク３４と同形状の略長方形で若干大きく、延出部を略３角形状にせず、交換マスク３４の左右方向端部に対して、その外側へ僅かに張り出して沿うほぼ略垂直な縁部とする。アンカー部材をこの左右方向端部に沿わせて略垂直に上下方向へ長く配置すると、延長部であるマスクカバーの左右方向端部のほぼ全長を密に支持できる。
【０１０３】
さらに、顔面装着部材をマスクカバーでなく、医療用又は衛生用のマスクとすることができる。このとき、上記延出部のないマスクカバーと同様に、鼻１３及び口１５を覆う本体部のみからなる略長方形の交換マスク３４とほぼ同形状とすることも、延出部３２を有するマスクカバー３０と同形状にすることもできる。いずれの場合も、マスクカバーと同様に、延出部もしくは本体部に相当する部分の左右方向端部のほぼ全長を、この左右方向端部に沿って配置される細長いアンカー部材により直接かつ密に支持できるので、マスクとしてのフィルター効果を高めることができる。
【０１０４】
また、本願発明のアンカー部材は細長い帯状で多関節構造を有するものであれば足りるので、本体部や連結部の形状や構造は自由であり、関節部の構造として、例えば、図１３に示すように、連結部を本体部と別体の部材で構成することもできる。
【０１０５】
ここで、細長形状とは、顔面上の所定方向、例えば、上下方向もしくは左右方向へ長い略帯状をなす長手形状であって、この長手方向の全長が、長手方向と直交する方向の長さ（本体部の最大横幅）よりも長い形状をいう。また、長手形状とは、１平面内における直交２方向の長さが異なり、一方側が他方側よりも数倍以上長くなっている形状をいうものとする。
【０１０６】
さらに、このアンカー部材を配置する方向は、長手方向を上下方向に向けるだけでなく、止着する顔面装着部材に合わせて、左右方向や斜め方向等種々可能である。なお、第１実施例のように長さ方向の軸線がアール形状に湾曲する配置であっても、この配置方向は所定方向に含まれるものとする。
【０１０７】
さらにまた、本願に係る多関節構造のアンカー部材は、顔面に対して用いるばかりでなく、他の種々な３次元的曲面を有する支持部材に対しても有効である。例えば、支持部材をソファや椅子などの表面とし、この３次元的曲面に対して用いることができる。
【０１０８】
図１６は支持部材であるソファに使用する例であり、ソファの本体部を構成するクッションフォーム１００の３次元的曲面をなす表面１０１にアンカー部材１１０を略矩形状に取付けてある。このアンカー部材１１０は、図１４のアンカー部材８０と同様の連結構造を有し、略鎖状に連続している。このアンカー部材１１０は、クッションフォーム１００の上に被せられる布製の表皮１０３（図１７参照）を係止するようになっている。表皮１０３は被着部材に相当する。
【０１０９】
このアンカー部材１１０は図１４のアンカー部材８０と同様構造をなしている。図中に丸囲みして、アンカー部材１１０を構成する単位部材１１１の一つを拡大して示すように、この単位部材１１１は、本体部１１５と、その一端側に設けられた連結穴１１２及び開放部１１３と、他端側に設けられている円形の連結部１１６及び首１１７を備えた単位部材１１１を、図１４と同様に多数連結して長い略鎖状にしたものである。
【０１１０】
図１７はクッションフォーム１００の表面１０１に取付けられたアンカー部材１１０の一部を拡大して示す断面図である。この例における係合部１２３は、表皮１０３を係止するため、比較的太くて大きな剛性のあるフック形状をなし、基部１２１から一体に突出形成されている。図１４における顔面取付用の薄型のものと異なり、比較的厚くなっている。
【０１１１】
このアンカー部材１１０は粘着層１２２によりクッションフォーム１００の表面１０１に取付けられる。このとき、アンカー部材１１０は、連結部１１６により略鎖状に連結し、連結部１１６で自在に曲がるから、図１６に示すように、コーナー部１０２において略直角に曲がることができる。
【０１１２】
しかもこの部分の３次元的曲面に馴染んで密着できる。他の部分もクッションフォーム１００の３次元的曲面をなす表面１０１に追随して密着する。そこで、図１７に示すように、アンカー部材１１０の上から被着部材である表皮１０３を被せると、表皮１０３はアンカー部材１１０に係止されて、３次元的曲面をの表面１０１における３次元的曲面に沿って３次元的曲面へ固定される。
【０１１３】
なお、本例に限らず第１〜第７実施例を含めて、アンカー部材に連結部を設けて３次元的に曲がるようにしたので、アンカー部材を３次元的曲面上へ比較的長く配置しても、連結部にて３次元的曲面に沿って３次元的に曲がり易くなり、アンカー部材全体が３次元的曲面に馴染んで密着し易くなる。
【０１１４】
図１８は、クッションフォーム１００に対するアンカー部材１１０の取付構造に関するバリエーションを示す図１７と同様の断面図である。図１７のようにアンカー部材１１０を粘着層１２２でクッションフォーム１００の表面１０１へ取付けできれば、取付作業の効率が著しく向上する。しかし、このような貼り付けができない場合には、図１８に示すように、基部１２１の裏面に係止突起１３０を一体に突出形成する。係止突起１３０は軸部１３１とその先端に形成された矢形部１３２を備える。
【０１１５】
なお、面ファスナーを構成する基部１２１に十分間に強度がり比較的大きな係止突起１３０を一体に形成することが難しい場合には、基部１２１と係合部１２３からなる面ファスナー部分と別体に、基部１２１と同形の台板部と係止突起１３０を一体に形成した樹脂成型品を予め作成しておき、この台板部に基部１２１を接着して一体化することができる。
【０１１６】
矢形部１３２をクッションフォーム１００中へ差し込むと、矢形部１３２がクッションフォーム１００に係合してクッションフォーム１００中に固定される。このため、アンカー部材１１０はクッションフォーム１００へ、迅速かつ強固に固定される。なお、クッションフォーム１００へ差し込んで係止される係止突起１３０の形状は公知のものを含めて種々可能である。
【０１１７】
図１９は、アンカー部材１１０を表皮１０３の固定でなく、被着部材である別置きクッション等（図示省略）を固定するために用いたバリエーションである。この場合、係止突起１３０を、予めクッションフォーム１００を覆って支持部材を構成する表皮１０３の上からクッションフォーム１００中へ差し込んでクッションフォーム１００中に係止させ、アンカー部材１１０を表皮１０３の上に取付ける。この場合も、アンカー部材１１０は表皮１０３の３次元的曲面に沿って密着取付できる。この状態で表面が布製である別置きクッションなどをアンカー部材１１０の上へ押しつければ、別置きクッション等は、アンカー部材１１０を介して、表皮１０３の上へ、その３次元的曲面に追従して確実に固定される。
【符号の説明】
【０１１８】
１０：顔面、１１：耳、１２：頬、１３：鼻、１５：口、１８：頬骨による突起、２０：アンカー部材、２２：粘着層、２３：雄側係合部、２５：本体部、２６：連結部、３０：マスクカバー、３２：延出部、３３：左右方向端部、４０：アンカー部材、４５：本体部、４６：連結部、５０：アンカー部材、５５：本体部、５６：連結部、６０：アンカー部材、６１：スリット、６５：本体部、６６：連結部、７０：アンカー部材、７５：本体部、７６：連結部、８０：アンカー部材、８１：単位部材、９０アンカー部材、１００：クッションホーム、１１０：アンカー部材
【図１】
2018188751.tif 000003
【図２】
2018188751.tif 000004
【図３】
2018188751.tif 000005
【図４】
2018188751.tif 000006
【図５】
2018188751.tif 000007
【図６】
2018188751.tif 000008
【図７】
2018188751.tif 000009
【図８】
2018188751.tif 000010
【図９】
2018188751.tif 000011
【図１０】
2018188751.tif 000012
【図１１】
2018188751.tif 000013
【図１２】
2018188751.tif 000014
【図１３】
2018188751.tif 000015
【図１４】
2018188751.tif 000016
【図１５】
2018188751.tif 000017
【図１６】
2018188751.tif 000018
【図１７】
2018188751.tif 000019
【図１８】
2018188751.tif 000020
【図１９】
2018188751.tif 000021